(57)【要約】本発明に係る再送制御方法は、送信側装置１０が、物理データチャネルに関連付けられている物理制御チャネルを介して、新規パケットの送信時に更新される新規データ指示子を送信する物理制御チャネル送信工程と、受信側装置３０が、前回の送信機会においてパケットの受信成功を示す送達確認情報を送信しており、かつ、今回の送信機会において前記物理制御チャネルを介して受信した新規データ指示子が更新されていない場合であっても、今回の送信機会において前記物理データチャネルを介して受信したパケットに対して復号処理を行い、該復号処理の結果に基づいて、前記パケットに対する送達確認情報を送信する送達確認情報送信工程とを有する。
2008096877.tif 000002
【特許請求の範囲】
【請求項１】
物理データチャネルによって送信側装置から受信側装置に送信されるパケットについて、該パケットに対する送達確認情報に基づいて再送制御を行う再送制御方法であって、
前記送信側装置が、前記物理データチャネルに関連付けられている物理制御チャネルを介して、新規パケットの送信時に更新される新規データ指示子を送信する物理制御チャネル送信工程と、
前記受信側装置が、前回の送信機会においてパケットの受信成功を示す送達確認情報を送信しており、かつ、今回の送信機会において前記物理制御チャネルを介して受信した新規データ指示子が更新されていない場合であっても、該今回の送信機会において前記物理データチャネルを介して受信したパケットに対して復号処理を行い、該復号処理の結果に基づいて、前記パケットに対する送達確認情報を送信する送達確認情報送信工程とを有することを特徴とする再送制御方法。
【請求項２】
前記前回の送信機会と前記今回の送信機会とは、同一のＨＡＲＱプロセスに対して割り当てられていることを特徴とする請求項１に記載の再送制御方法。
【請求項３】
新規パケットの送信時に更新される新規データを含む物理制御チャネルを受信するように構成されている物理制御チャネル受信部と、
前記物理制御チャネルに関連付けられている物理データチャネルを受信するように構成されている物理データチャネル受信部と、
前回の送信機会においてパケットの受信成功を示す送達確認情報を送信しており、かつ、今回の送信機会において前記物理制御チャネルを介して受信した新規データ指示子が更新されていない場合であっても、該今回の送信機会において前記物理データチャネルを介して受信したパケットに対して復号処理を行い、該復号処理の結果に基づいて、前記パケットに対する送達確認情報を送信するように構成されている送達確認情報送信部とを具備することを特徴とする受信側装置。
【請求項４】
前記前回の送信機会と前記今回の送信機会とは、同一のＨＡＲＱプロセスに対して割り当てられていることを特徴とする請求項３に記載の受信側装置。
【発明の詳細な説明】
【技術分野】
【０００１】
本発明は、物理データチャネルを介して送信側装置から受信側装置に送信されるパケットについて、当該パケットに対する送達確認情報に基づいて再送制御を行う再送制御方法及び受信側装置に関する。
【背景技術】
【０００２】
従来、再送制御を行う移動通信システムとして、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）移動通信システムが知られている（例えば、非特許文献１参照）。【０００３】
図５、図１乃至図４を参照して、従来のＨＳＤＰＡ移動通信システムにおける再送制御について説明する。【０００４】
図５に示す構成を具備するＨＳＤＰＡ移動通信システムにおける再送制御は、ＭＡＣ-ｈｓレイヤにおける「ＨＡＲＱ（Ｈｙｂｒｉｄ  Ａｕｔｏｍａｔｉｃ  Ｒｅｐｅａｔ  ｒｅＱｕｅｓｔ）再送制御」及びＲＬＣレイヤにおける「ＡＲＱ再送制御」によって実現されている。【０００５】
かかるＨＳＤＰＡ移動通信システムでは、ＲＬＣレイヤにおけるＡＲＱ再送制御が、ＭＡＣ-ｈｓレイヤにおいて補償し切れなかったパケットの受信失敗又は復号誤りに対して最終的に補償するように構成されている。  また、かかるＨＳＤＰＡ移動通信システムでは、ＲＬＣレイヤにおけるＡＲＱ再送制御が、ＨＡＲＱ再送制御における送達確認情報（ＡＣＫ/ＮＡＣＫ）の誤検出（例えば、移動局において、ＮＡＣＫをＡＣＫと誤検出する場合や、ＤＴＸ状態である場合にＡＣＫを受信したと誤検出する場合）等により生じたパケットの欠落（ロス）に対して最終的に補償するように構成されている。【０００６】
図１Ａ乃至図１Ｆを参照して、かかるＨＳＤＰＡ移動通信システムにおける再送制御について具体的に説明する。以下、ＨＡＲＱプロセスが１つであるものとして説明する。また、各パケットに割り当てられる「ＴＳＮ（送信シーケンス番号：Ｔｒａｎｓｍｉｓｓｉｏｎ  Ｓｅｑｕｅｎｃｅ  Ｎｕｍｂｅｒ）」は、０から１５の間の値を巡回して取るものとする。【０００７】
図１Ａでは、受信側装置（移動局）３０のＭＡＣ-ｈｓレイヤが、「ＴＳＮ＝１５」のパケットの受信及び復号に成功したため、「ＴＳＮ＝１５」のパケットを順序制御バッファ３５に保存すると共に、順序制御バッファ３５から「ＴＳＮ＝１０」のパケットを抽出してＲＬＣレイヤに渡している。そして、受信側装置３０において、次に受信を期待するパケットの「ＴＳＮ」が「０」となる。【０００８】
一方、図１Ｂでは、受信側装置３０のＭＡＣ-ｈｓレイヤにおいて、上述のような原因（受信失敗、復号誤り、誤検出等）によって「ＴＳＮ＝０」のパケットが欠落している。したがって、受信側装置３０において、次に受信を期待するパケットの「ＴＳＮ」が「０」のままであるにも関わらず、送信側装置（基地局）１０が、「ＴＳＮ＝０」のパケットに対するＮＡＣＫを受信していないため、受信側装置３０に対して、「ＴＳＮ＝１」のパケットを送信している。【０００９】
その後、受信側装置３０のＭＡＣ-ｈｓレイヤが、「ＴＳＮ＝１」のパケットの受信及び復号に成功したため、「ＴＳＮ＝１」のパケットを順序制御バッファ３５に保存すると共に、順序制御バッファ３５から「ＴＳＮ＝１２」のパケットを抽出してＲＬＣレイヤに渡している。【００１０】
そして、図１Ｃ乃至図１Ｅにおいて、同様の動作が繰り返される。この間、受信側装置３０において、次に受信を期待するパケットの「ＴＳＮ」は「０」のままである。【００１１】
その後、図１Ｆにおいて、受信側装置３０のＭＡＣ-ｈｓレイヤが、「ＴＳＮ＝５」のパケットの受信及び復号に成功したため、「ＴＳＮ＝５」のパケットを順序制御バッファ３５に保存する。【００１２】
この際、受信側装置３０のＭＡＣ-ｈｓレイヤは、順序制御バッファ３５から「ＴＳＮ＝０」のパケットを抽出してＲＬＣレイヤに渡すことを試みるが、「ＴＳＮ＝０」のパケットが順序制御バッファ３５に保存されていないため、失敗に終わる。【００１３】
その結果、ＲＬＣレイヤのＡＲＱエンティティ３６が、「ＴＳＮ＝０」のパケットの欠落（ロス）を検出し、ＡＲＱ再送制御によって、送信側装置１０に対して「ＴＳＮ＝０」のパケットの再送を要求するように構成されている。【００１４】
また、図５に示すように、かかるＨＳＤＰＡ移動通信システムでは、基地局が、移動局に対して、共有物理制御チャネル（図２参照）として「ＨＳ-ＳＣＣＨ（Ｈｉｇｈ  Ｓｐｅｅｄ  Ｓｈａｒｅｄ  Ｃｏｎｔｒｏｌ  Ｃｈａｎｎｅｌ）」を介してＬ１/Ｌ２制御情報を送信し、共有物理データチャネルとして「ＨＳ-ＰＤＳＣＨ（Ｈｉｇｈ  Ｓｐｅｅｄ  Ｐｈｙｓｉｃａｌ  Ｄｏｗｎｌｉｎｋ  Ｓｈａｒｅｄ  Ｃｈａｎｎｅｌ）」を介してパケットを送信するように構成されている。【００１５】
ここで、ＨＳ-ＳＣＣＨとＨＳ-ＰＤＳＣＨとは関連付けられており、移動局は、受信したＨＳ-ＳＣＣＨに含まれているＬ１/Ｌ２制御情報に基づいて、当該ＨＳ-ＳＣＣＨに関連付けられているＨＳ-ＰＤＳＣＨに含まれているパケットを受信するように構成されている。【００１６】
また、かかるＨＳＤＰＡ移動通信システムでは、ＨＳ-ＰＤＳＣＨ上に、トランスポートチャネルとして「ＨＳ-ＤＳＣＨ（Ｈｉｇｈ  Ｓｐｅｅｄ  Ｄｏｗｎｌｉｎｋ  Ｓｈａｒｅｄ  Ｃｈａｎｎｅｌ）」が多重されるように構成されている。【００１７】
また、かかるＨＳＤＰＡ移動通信システムでは、ＨＳ-ＤＳＣＨ上の各ＴＴＩ（Ｔｒａｎｓｍｉｓｓｉｏｎ  Ｔｉｍｅ  Ｉｎｔｅｒｖａｌ）において、１つのプロトコルデータユニット（「ＭＡＣ-ｈｓ  ＰＤＵ」）（以下、パケット）が送信されるように構成されている。なお、かかるパケットのヘッダ部分には、当該パケットの「ＴＳＮ」が挿入されている。【００１８】
また、かかるＨＳＤＰＡ移動通信システムでは、移動局が、ＨＳ-ＳＣＣＨを介して受信したＬ１/Ｌ２制御情報（図３参照）内の「ＵＥ  ｉｄｅｎｔｉｔｙ（１６ビット）」に基づいて、ＨＳ-ＤＳＣＨ上の各ＴＴＩが自局に割り当てられているか否かについて判断する。【００１９】
そして、移動局は、ＨＳ-ＤＳＣＨ上のＴＴＩが自局に割り当てられている場合には、Ｌ１/Ｌ２制御情報（図３参照）内の「ＮＤＩ（新規データ指示子（Ｎｅｗ  Ｄａｔａ  Ｉｎｄｉｃａｔｏｒ（１ビット）））」に基づいて、当該ＴＴＩにおいて送信されるパケットが、新規パケットであるか、又は、再送パケットであるかについて判断する。移動局は、当該判断結果に基づいて、ＭＡＣ-ｈｓレイヤにおけるＨＡＲＱ再送制御を行う。【００２０】
ここで、従来のＨＳＤＰＡ移動通信システムで用いられている「ＮＤＩ」は、１ビットで構成されており、新規パケットの送信時に更新されるように構成されている。具体的には、「ＮＤＩ」は、「０」→「１」というように、２つの値を巡回して更新されるように構成されている。
【非特許文献１】３ＧＰＰ  ＴＳ２５.３０８
【発明の開示】
【００２１】
図４を参照して、従来のＨＳＤＰＡ移動通信システムにおいて、ＨＳ-ＳＣＣＨによって通知される「ＮＤＩ＝１」と、受信側装置３０において次に受信を期待している「Ｅｘｐｅｃｔｉｎｇ  ＮＤＩ＝０」との間に不一致が生じるケースについて説明する。
【００２２】
かかる不一致の原因として、ＤＴＸ状態であるにも関わらず、送信側装置１０が、「ＴＳＮ＝Ｎ」のパケットに対するＡＣＫを受信したと誤検出したため、受信側装置３０に対して、「ＴＳＮ＝Ｎ＋１」のパケットを送信してしまうケースについて説明する。
【００２３】
図４に示すように、受信側装置３０は、「ＴＳＮ＝Ｎ」のパケットを送信するためのＨＳ-ＰＤＳＣＨに関連付けられている、ＨＳ-ＳＣＣＨを介して送信されるＬ１/Ｌ２制御情報の受信処理（復号処理）に失敗すると、自局宛てに当該パケットが送信されたか否かについて判断できない。
【００２４】
このため、受信側装置３０は、当該ＨＳ−ＳＣＣＨに後続するＨＳ-ＰＤＳＣＨを介して送信される当該「ＴＳＮ＝Ｎ」のパケットを復号することができない。
【００２５】
このため、受信側装置３０は、「ＴＳＮ＝Ｎ」のパケットに対するＡＣＫ/ＮＡＣＫといった送達確認情報（「ＴＳＮ＝Ｎ」のパケットの復号結果）を、ＨＳ-ＤＰＣＣＨ（ＨＡＲＱフィードバック物理チャネル）を介して送信できないため、「ＤＴＸ：Ｄｉｓｃｏｎｔｉｎｕｏｕｓ  Ｔｒａｎｓｍｉｓｓｉｏｎ」と呼ばれる無送信動作となる。
【００２６】
ここで、無線伝搬路の状態が悪く、受信側装置３０が、ＤＴＸ（無送信）状態であるにも関わらず、送信側装置１０が、ＨＡＲＱフィードバック物理チャネル上で、「ＴＳＮ＝Ｎ」のパケットに対するＡＣＫを受信したと誤検出する場合、送信側装置１０は、受信側装置３０に対して、新規パケットとして「ＴＳＮ＝Ｎ＋１」のパケットを送信してしまう。このため、受信側装置３０において「ＴＳＮ＝Ｎ」のパケットが欠落してしまうという問題点があった。
【００２７】
また、かかる場合、送信側装置１０からＨＳ-ＳＣＣＨを介して通知される「ＮＤＩ＝１」と、受信側装置３０において次に受信を期待している「Ｅｘｐｅｃｔｉｎｇ  ＮＤＩ＝０」との間に不一致が生じている。このため、受信側装置３０は、「ＴＳＮ＝Ｎ＋１」のパケットに対しても復号処理を行うことなく廃棄してしまい、「ＴＳＮ＝Ｎ＋１」のパケットも欠落してしまうという問題点があった。
【００２８】
そこで、本発明は、上述の課題に鑑みてなされたものであり、送信側装置においてＨＡＲＱフィードバック物理チャネルを介して送信される送達確認情報を誤検出した場合に、パケットの欠落を最小限に留めることができる再送制御方法及び受信側装置を提供することを目的とする。
【００２９】
本発明の第１の特徴は、物理データチャネルによって送信側装置から受信側装置に送信されるパケットについて、該パケットに対する送達確認情報に基づいて再送制御を行う再送制御方法であって、前記送信側装置が、前記物理データチャネルに関連付けられている物理制御チャネルを介して、新規パケットの送信時に更新される新規データ指示子を送信する物理制御チャネル送信工程と、前記受信側装置が、前回の送信機会においてパケットの受信成功を示す送達確認情報を送信しており、かつ、今回の送信機会において前記物理制御チャネルを介して受信した新規データ指示子が更新されていない場合であっても、該今回の送信機会において前記物理データチャネルを介して受信したパケットに対して復号処理を行い、該復号処理の結果に基づいて、前記パケットに対する送達確認情報を送信する送達確認情報送信工程とを有することを要旨とする。
【００３０】
本発明の第１の特徴において、前記前回の送信機会と前記今回の送信機会とは、同一のＨＡＲＱプロセスに対して割り当てられていてもよい。
【００３１】
本発明の第２の特徴は、新規パケットの送信時に更新される新規データを含む物理制御チャネルを受信するように構成されている物理制御チャネル受信部と、前記物理制御チャネルに関連付けられている物理データチャネルを受信するように構成されている物理データチャネル受信部と、前回の送信機会においてパケットの受信成功を示す送達確認情報を送信しており、かつ、今回の送信機会において前記物理制御チャネルを介して受信した新規データ指示子が更新されていない場合であっても、該今回の送信機会において前記物理データチャネルを介して受信したパケットに対して復号処理を行い、該復号処理の結果に基づいて、前記パケットに対する送達確認情報を送信するように構成されている送達確認情報送信部とを具備することを要旨とする。
【００３２】
本発明の第２の特徴において、前記前回の送信機会と前記今回の送信機会とは、同一のＨＡＲＱプロセスに対して割り当てられていてもよい。
【００３３】
以上説明したように、本発明によれば、送信側装置においてＨＡＲＱフィードバック物理チャネルを介して送信される送達確認情報を誤判定した場合に、パケットの欠落を最小限に留めることができる再送制御方法及び受信側装置を提供することができる。
【図面の簡単な説明】
【００３４】
【図１】図１は、従来技術に係る移動通信システムにおける再送制御の様子を説明するための図である。
【図２】図２は、従来技術に係る移動通信システムで用いられるチャネル構成を示す図である。
【図３】図３は、従来技術に係る移動通信システムで用いられる共有物理制御チャネルのフォーマットを示す図である。
【図４】図４は、従来技術に係る移動通信システムにおける再送制御の問題点を説明するための図である。
【図５】図５は、本発明の第１の実施形態に係る送信側装置及び受信側装置の機能ブロック図である。
【図６】図６は、本発明の第１の実施形態に係る移動通信システムにおける再送制御の様子を説明するための図である。
【図７】図７は、本発明の第２の実施形態に係る送信側装置及び受信側装置の機能ブロック図である。
【発明を実施するための最良の形態】
【００３５】
（本発明の第１の実施形態に係る移動通信システム）
図５を参照して、本発明の第１の実施形態に係る移動通信システムの構成について説明する。【００３６】
本実施形態に係る移動通信システムは、物理データチャネルを介して送信側装置１０から受信側装置３０に送信されるパケットについて、当該パケットに対する送達確認情報（ＡＣＫ/ＮＡＣＫ/ＤＴＸ状態）に基づいて再送制御を行うように構成されている。【００３７】
ここで、物理データチャネル（共有物理データチャネル）の一例として「ＨＳ-ＰＤＳＣＨ」が想定され、物理制御チャネル（共有物理制御チャネル）の一例として「ＨＳ-ＳＣＣＨ」が想定され、ＨＳ−ＰＤＳＣＨ上に多重されるトランスポートチャネルの一例として「ＨＳ-ＤＳＣＨ」が想定され、ＨＳ-ＤＳＣＨ上で送信されるプロトコルデータユニット（パケット）の一例として「ＭＡＣ-ｈｓ  ＰＤＵ」が想定される。しかしながら、本発明は、これらの例に限定されるものではない。【００３８】
また、本発明に係る送信側装置１０及び受信側装置３０は、下り方向の通信（送信側装置１０が基地局であり、受信側装置３０が移動局である場合）にも、上り方向の通信（送信側装置１０が移動局であり、受信側装置３０が基地局である場合）にも、適用可能であるものとする。【００３９】
図５に示すように、送信側装置１０は、レイヤ２の機能として、ＲＬＣエンティティ１１と、送信バッファ１２と、ＴＳＮ付与部１３と、ＨＡＲＱエンティティ１４と、複数のＨＡＲＱプロセス１５と、再送・スケジューラ機能１８とを具備している。また、レイヤ１の機能として、共有物理制御チャネル送信部１６Ａと、共有物理データチャネル送信部１６Ｂと、個別物理制御チャネル受信部１７とを具備している。【００４０】
ＲＬＣエンティティ１１は、上述したＡＲＱ再送制御を行うように構成されている。なお、ＲＬＣエンティティ１１は、各パケット単位で、ＡＲＱ再送制御を行うように構成されていてもよいし、複数のパケット単位で、ＡＲＱ再送制御を行うように構成されていてもよい。【００４１】
送信バッファ１２は、ＲＬＣエンティティ１１から送信されたユーザデータを一時的に格納した後、ＴＳＮ付与部１３に送信するように構成されている。【００４２】
ＴＳＮ付与部１３は、送信バッファ１２から送信されたユーザデータに対して、ＴＳＮを含むヘッダ及び誤り訂正符号（ＣＲＣ等）等を付与することによって、共有物理データチャネルに多重されるトランスポートチャネル上で送信されるプロトコルデータユニット（パケット）を生成するように構成されている。【００４３】
ＨＡＲＱエンティティ１４は、再送・スケジューラ機能１８からのＨＡＲＱ再送制御やスケジューリング制御に関する指示に応じて、各パケットを送信するＨＡＲＱプロセスを割り当てるように構成されている。【００４４】
具体的には、ＨＡＲＱエンティティ１４は、再送・スケジューラ機能１８からの指示に応じて、送信バッファ１２に蓄積されているユーザデータを廃棄したり、各送信機会（上述のトランスポートチャネルにおける各ＴＴＩ）においてどのパケット（新規パケット及び再送パケット）を送信するべきかについて決定したりするように構成されている。【００４５】
また、ＨＡＲＱエンティティ１４は、各送信機会において、パケットの送信を行うＨＡＲＱプロセスを特定する「ＨＡＲＱ  ｐｒｏｃｅｓｓ＃」を、共有物理制御チャネル送信部１６Ａに通知するように構成されている。【００４６】
各ＨＡＲＱプロセス１５は、ＨＡＲＱエンティティ１４によってパケット（新規パケット及び再送パケット）の送信を行うように指示された場合、当該パケットを送信するように共有物理データチャネル送信部１６Ｂに対して指示するように構成されている。【００４７】
また、各ＨＡＲＱプロセス１５は、各送信機会において、新規パケットを送信する際に、ＮＤＩ（新規データ指示子）を更新して、共有物理制御チャネル送信部１６Ａに通知するように構成されている。なお、各ＨＡＲＱプロセス１５は、各送信機会において、再送パケットを送信する際に、ＮＤＩを更新しないように構成されている。【００４８】
また、各ＨＡＲＱプロセス１５は、個別物理制御チャネル受信部１７によって受信された個別物理制御チャネルに含まれる送達確認情報（ＡＣＫ/ＮＡＣＫ）を、再送・スケジューラ機能１８に通知するように構成されている。【００４９】
再送・スケジューラ機能１８は、各ＨＡＲＱプロセス１５から通知された送達確認情報（ＡＣＫ/ＮＡＣＫ）に基づいて、各パケットに対するＨＡＲＱ再送制御やスケジューリング制御を行うように構成されている。【００５０】
共有物理制御チャネル送信部１６Ａは、ＨＡＲＱエンティティ１４から通知されたＨＡＲＱ  ｐｒｏｃｅｓｓ＃や各ＨＡＲＱプロセス１５から通知されたＮＤＩを含むＬ１/Ｌ２制御情報を、共有物理制御チャネル（物理制御チャネル）を介して送信するように構成されている（図３参照）。【００５１】
ここで、ＮＤＩ（新規データ指示子：Ｎｅｗ  Ｄａｔａ  Ｉｎｄｉｃａｔｏｒ）は、１ビットで構成されており、新規パケットの送信時に更新されるように構成されている。例えば、ＮＤＩは、「０」→「１」→「０」というように、２つの値「０」、「１」を巡回して更新されるように構成されている。ＮＤＩの初期値は、「０」であってもよいし、「１」であってもよい。【００５２】
共有物理データチャネル送信部１６Ｂは、共有物理データチャネル（物理データチャネル）における各ＴＴＩにおいて、各ＨＡＲＱプロセスから送信されたパケットを送信するように構成されている。なお、共有物理データチャネルは、共有物理制御チャネルに関連付けられている。【００５３】
個別物理制御チャネル受信部１７は、個別物理制御チャネル（ＨＡＲＱフィードバック物理チャネル）を介して、ＡＣＫ/ＮＡＣＫといった送達確認情報を受信して、該当するＨＡＲＱプロセス１５に通知するように構成されている。【００５４】
なお、個別物理制御チャネル受信部１７は、所定期間内に、各パケットに対する送達確認情報を受信しない場合、ＤＴＸ状態であると判断するように構成されている。【００５５】
また、図５に示すように、受信側装置３０は、共有物理制御チャネル受信部３１Ａと、共有物理データチャネル受信部３１Ｂと、ＨＡＲＱエンティティ３２Ａと、複数のＨＡＲＱプロセス３２Ｂと、個別物理制御チャネル送信部３３と、ＴＳＮ抽出部３４と、順序制御バッファ３５と、ＲＬＣエンティティ３６とを具備している。【００５６】
共有物理制御チャネル受信部３１Ａは、送信側装置１０から共有物理制御チャネル（物理制御チャネル）を介してＬ１／Ｌ２制御情報を受信するように構成されている。【００５７】
共有物理制御チャネル受信部３１Ａは、共有物理制御チャネルを介して送信されるＬ１/Ｌ２制御情報を復号し、復号したＬ１/Ｌ２制御情報を、ＨＡＲＱエンティティ３２Ａに送信するように構成されている。【００５８】
共有物理データチャネル受信部３１Ｂは、共有物理制御チャネルを介して送信されたＬ１/Ｌ２制御情報に基づいて、各ＴＴＩにおいて、共有物理データチャネルを介して送信されるパケットを、ＨＡＲＱエンティティ３２Ａに送信するように構成されている。【００５９】
ＨＡＲＱエンティティ３２Ａは、共有物理制御チャネル受信部３１Ａから受信したＬ１/Ｌ２制御情報、及び、共有物理データチャネル受信部３１Ｂから受信したパケットを、該当のＨＡＲＱプロセス３２Ｂに送信するように構成されている。【００６０】
各ＨＡＲＱプロセス３２Ｂは、ＨＡＲＱエンティティ３２Ａから送信されたＬ１/Ｌ２制御情報に基づいて、ＨＡＲＱエンティティ３２Ａから送信されたパケットを復号し、復号したパケットをＴＳＮ抽出部３４に送信するように構成されている。【００６１】
また、各ＨＡＲＱプロセス３２Ｂは、送達確認情報（ＡＣＫ/ＮＡＣＫ）を生成して個別物理制御チャネル送信部３３に通知するように構成されている。【００６２】
具体的には、各ＨＡＲＱプロセス３２Ｂは、ＨＡＲＱエンティティ３２Ａから送信されたＬ１/Ｌ２制御情報に含まれるＮＤＩ（受信したＮＤＩ）に基づいて、送達確認情報（ＡＣＫ/ＮＡＣＫ）を生成するように構成されている。【００６３】
例えば、各ＨＡＲＱプロセス３２Ｂは、当該ＨＡＲＱプロセス３２Ｂに割り当てられていた前回のＴＴＩ（送信機会）においてパケットの受信成功を示す送達確認情報（ＡＣＫ）を送信しており、かつ、当該ＨＡＲＱプロセス３２Ｂに割り当てられた今回のＴＴＩ（送信機会）において物理制御チャネルを介して受信したＮＤＩ（新規データ指示子）が更新されていない場合であっても、当該今回のＴＴＩ（送信機会）において物理データチャネルを介して受信したパケットに対して復号処理を行うように構成されている。そして、各ＨＡＲＱプロセス３２Ｂは、当該復号処理の結果に基づいて、当該パケットに対する送達確認情報（ＡＣＫ/ＮＡＣＫ）を生成して個別物理制御チャネル送信部３３に通知するように構成されている。【００６４】
勿論、各ＨＡＲＱプロセス３２Ｂは、当該ＨＡＲＱプロセス３２Ｂに割り当てられていた前回のＴＴＩ（送信機会）においてパケットの受信成功を示す送達確認情報（ＡＣＫ）を送信しており、かつ、当該ＨＡＲＱプロセス３２Ｂに割り当てられた今回のＴＴＩ（送信機会）において物理制御チャネルを介して受信したＮＤＩ（新規データ指示子）が更新されている場合には、通常状態であるので、当該今回のＴＴＩ（送信機会）において物理データチャネルを介して受信したパケットに対して復号処理を行うように構成されている。そして、各ＨＡＲＱプロセス３２Ｂは当該復号処理の結果に基づいて、当該パケットに対する送達確認情報（ＡＣＫ/ＮＡＣＫ）を生成して個別物理制御チャネル送信部３３に通知するように構成されている。【００６５】
ここで、上述の前回のＴＴＩ（送信機会）と今回のＴＴＩ（送信機会）とは、同一のＨＡＲＱプロセス３２Ｂに対して割り当てられているものとする。【００６６】
なお、本実施形態において、上述の前回のＴＴＩ（送信機会）及び今回のＴＴＩ（送信機会）は、各ＨＡＲＱプロセス３２Ｂから見たものである。図６に示す例では、パケット「ＴＳＮ＝Ｎ＋１」が送信される送信機会が、今回のＴＴＩであるとすると、パケット「ＴＳＮ＝Ｎ−１」が送信される送信機会が、前回のＴＴＩとなる。これは、ＨＡＲＱプロセス＃ｎは、パケット「ＴＳＮ＝Ｎ」が送信される送信機会では、共有物理制御チャネルを介したＬ１／Ｌ２制御情報の受信に失敗しているため、かかる送信機会が当該ＨＡＲＱプロセス＃ｎに割り当てられていることを認識できないことをその理由とする。【００６７】
ここで、各ＨＡＲＱプロセス３２Ｂは、当該パケットに対する送達確認情報（ＡＣＫ）を生成するごとに、Ｅｘｐｅｃｔｅｄ  ＮＤＩを更新するように構成されている。【００６８】
なお、各ＨＡＲＱプロセス３２Ｂは、ＨＡＲＱ  ＲＴＴ（Ｒｏｕｎｄ  Ｔｒｉｐ  Ｔｉｍｅ）が経過するよりも早く、当該ＨＡＲＱプロセス３２Ｂ宛てのパケットを受信した場合、かかるパケットを廃棄するように構成されていてもよい。【００６９】
また、各ＨＡＲＱプロセス３２Ｂは、今回のＴＴＩにおいてＮＤＩが更新されていない場合で、かつ、今回のＴＴＩにおいて受信したパケットのサイズ（ＴＢＳ：Ｔｒａｎｓｐｏｒｔ  Ｂｌｏｃｋ  Ｓｉｚｅ）が前回のＴＴＩにおいて受信したパケットのサイズと異なる場合、当該パケットを廃棄するように構成されていてもよい。【００７０】
個別物理制御チャネル送信部３３は、各ＨＡＲＱプロセス３２Ｂから通知された送達確認情報（ＡＣＫ/ＮＡＣＫ）を、個別物理制御チャネル（ＨＡＲＱフィードバック物理チャネル）を介して送信するように構成されている。【００７１】
ＴＳＮ抽出部３４は、各ＨＡＲＱプロセス３２Ｂから送信されたパケットのＴＳＮを抽出するように構成されている。その後、ＴＳＮ抽出部３４は、ＲＬＣエンティティ３６に対して各パケットをＴＳＮの順に送信するために、抽出したＴＳＮに基づいて各パケットを順序制御バッファ３５に格納するように構成されている。【００７２】
ＲＬＣエンティティ３６は、順序制御バッファ３５から送信されたパケットのＴＳＮを参照して、当該パケットについてのＡＲＱ再送制御を行うように構成されている。なお、ＲＬＣエンティティ３６は、各パケット単位で、ＡＲＱ再送制御を行うように構成されていてもよいし、複数のパケット単位で、ＡＲＱ再送制御を行うように構成されていてもよい。【００７３】
（本発明の第１の実施形態に係る移動通信システムの動作）
以下、図６を参照して、本実施形態に係る移動通信システムの動作について説明する。具体的には、本実施形態に係る移動通信システムにおいて、基地局（送信側装置１０）から移動局（受信側装置３０）に対して送信されるパケットについての再送制御について説明する。【００７４】
図６に示すように、ステップＳ１００１において、基地局は、ＨＡＲＱプロセス＃ｎにおいて、移動局に対して、共有物理制御チャネル（例えば、ＨＳ-ＳＣＣＨ）を介してＬ１/Ｌ２制御情報（「ＮＤＩ＝１」）を送信し、共有物理データチャネル（例えば、「ＨＳ-ＰＤＳＣＨ」）を介してパケット「ＴＳＮ＝Ｎ-１」を送信する。【００７５】
移動局は、ステップＳ１００２において、当該共有物理制御チャネルを介してＬ１/Ｌ２制御情報の受信及び復号に成功すると、ステップＳ１００３において、当該共有物理制御チャネルを介して受信したＮＤＩ（受信したＮＤＩ）が、次に受信を期待しているＮＤＩ（Ｅｘｐｅｃｔｅｄ  ＮＤＩ）と一致するか否かについて判定する。【００７６】
ここで、「受信したＮＤＩ（＝１）」が「Ｅｘｐｅｃｔｅｄ  ＮＤＩ（＝１）」と等しいため、移動局は、ステップＳ１００４において、当該共有物理制御チャネルを介して受信したＬ１/Ｌ２制御情報に基づいて、共有物理データチャネルに含まれるパケット「ＴＳＮ＝Ｎ-１」を復号する。【００７７】
ステップＳ１００５において、移動局は、上述のパケット「ＴＳＮ＝Ｎ-１」の復号に成功したことを示す送達確認情報（ＡＣＫ）を、ＨＡＲＱフィードバック物理チャネルを介して、基地局に対して送信する。【００７８】
ステップＳ１００６において、基地局は、ＨＡＲＱプロセス＃ｎにおいて、移動局に対して、共有物理制御チャネルを介してＬ１/Ｌ２制御情報（「ＮＤＩ＝０」）を送信し、共有物理データチャネル（例えば、「ＨＳ-ＰＤＳＣＨ」）を介してパケット「ＴＳＮ＝Ｎ」を送信する。【００７９】
移動局は、ステップＳ１００７において、当該共有物理制御チャネルを介したＬ１／Ｌ２制御情報の受信及び復号に失敗し、ＤＴＸ状態となる。【００８０】
ここで、無線伝搬路の状態が悪く、移動局が、ＤＴＸ状態であるにも関わらず、基地局が、ステップＳ１００８において、移動局から、ＨＡＲＱフィードバック物理チャネルを介して、「ＴＳＮ＝Ｎ」のパケットに対するＡＣＫを受信したと誤検出する。【００８１】
ステップＳ１００９において、基地局は、ＨＡＲＱプロセス＃ｎにおいて、移動局に対して、共有物理制御チャネルを介してＬ１/Ｌ２制御情報（「ＮＤＩ＝１」）を送信し、共有物理データチャネル（例えば、「ＨＳ-ＰＤＳＣＨ」）を介してパケット「ＴＳＮ＝Ｎ＋１」を送信する。【００８２】
移動局は、ステップＳ１０１０において、当該共有物理制御チャネルを介したＬ１／Ｌ２制御情報の受信及び復号に成功すると、ステップＳ１０１１において、当該共有物理制御チャネルを介して受信したＮＤＩ（受信したＮＤＩ）が、次に受信を期待しているＮＤＩ（Ｅｘｐｅｃｔｅｄ  ＮＤＩ）と一致するか否かについて判定する。【００８３】
ここで、「受信したＮＤＩ（＝１）」が「Ｅｘｐｅｃｔｅｄ  ＮＤＩ（＝０）」と異なる。しかしながら移動局は、パケット「ＴＳＮ＝Ｎ＋１」の欠落を防ぐため、ステップＳ１０１２において、当該共有物理制御チャネルを介して受信したＬ１/Ｌ２制御情報に基づいて、共有物理データチャネルを介して受信したパケット「ＴＳＮ＝Ｎ＋１」を復号する。【００８４】
ステップＳ１０１６において、移動局は、上述のパケット「ＴＳＮ＝Ｎ＋１」の復号に成功したことを示す送達確認情報（ＡＣＫ）を、ＨＡＲＱフィードバック物理チャネルを介して、基地局に対して送信する。【００８５】
この結果、移動局において、パケット「ＴＳＮ＝Ｎ」については欠落しているが、パケット「ＴＳＮ＝Ｎ＋１」については欠落を防ぐことができたため、受信したＮＤＩと次に受信を期待しているＮＤＩ（Ｅｘｐｅｃｔｅｄ  ＮＤＩ）とが不一致の場合にパケットを廃棄する場合と比べて、パケットの欠落を最小限に留めることができた。【００８６】
（本発明の第１の実施形態に係る移動通信システムの作用・効果）
本実施形態に係る移動通信システムによれば、前回のＴＴＩ（ＴＳＮ＝Ｎ-１のパケットが送信された送信機会）においてＡＣＫを送信しており、かつ、今回のＴＴＩ（ＴＳＮ＝Ｎ＋１が送信された送信機会）において共有物理制御チャネルを介して受信したＮＤＩが更新されていない場合であっても、今回のＴＴＩ（ＴＳＮ＝Ｎ＋１のパケットが送信された送信機会）において共有物理データチャネルを介して受信したパケットに対して復号処理を行う。このため、今回のＴＴＩ（ＴＳＮ＝Ｎ＋１のパケットが送信された送信機会）において送信されたパケットの欠落を防ぐことができ、パケットの欠落（ＴＳＮ＝Ｎのパケットのみ）を最小限にすることができる。【００８７】
（本発明の第２の実施形態に係る移動通信システム）
図７を参照して、本発明の第２の実施形態に係る移動通信システムについて説明する。以下、本実施形態に係る移動通信システムについて、上述の第１の実施形態に係る移動通信システムとの相違点について主として説明する。【００８８】
本実施形態に係る移動通信システムの構成は、ＬＴＥ（Ｌｏｎｇ  Ｔｅｒｍ  Ｅｖｏｌｕｔｉｏｎ）によって規格されている構成に準拠するものとする。【００８９】
ここで、下り方向の共有物理データチャネルとして「ＰＤＳＣＨ：Ｐｈｙｓｉｃａｌ  Ｄｏｗｎｌｉｎｋ  Ｓｈａｒｅｄ  Ｃｈａｎｎｅｌ」が用いられ、下り方向の共有物理制御チャネルとして「ＰＤＣＣＨ：Ｐｈｙｓｉｃａｌ  Ｄｏｗｎｌｉｎｋ  Ｃｏｎｔｒｏｌ  Ｃｈａｎｎｅｌ」が用いられる。【００９０】
また、上り方向の共有物理制御チャネルとして「ＰＵＣＣＨ：Ｐｈｙｓｉｃａｌ  Ｕｐｌｉｎｋ  Ｃｏｎｔｒｏｌ  Ｃｈａｎｎｅｌ」が用いられ、上り方向の共有物理データチャネルとして「ＰＵＳＣＨ：Ｐｈｙｓｉｃａｌ  Ｕｐｌｉｎｋ  Ｓｈａｒｅｄ  Ｃｈａｎｎｅｌ」が用いられる。【００９１】
ＰＤＳＣＨ上に多重されるトランスポートチャネルとして「ＤＬ-ＳＣＨ：Ｄｏｗｎｌｉｎｋ  Ｓｈａｒｅｄ  Ｃｈａｎｎｅｌ」が用いられ、ＰＵＳＣＨ上に多重されるトランスポートチャネルとして「ＵＬ-ＳＣＨ：Ｕｐｌｉｎｋ  Ｓｈａｒｅｄ  Ｃｈａｎｎｅｌ」が用いられている。【００９２】
図７に示すように、送信側装置１０は、論理チャネルに１対１に対応する複数のＲＬＣエンティティ１１を具備している。受信側装置３０も、同様に、論理チャネルに１対１に対応する複数のＲＬＣエンティティ３６を具備している。各ＲＬＣエンティティ１１、３６の機能は、上述の第１の実施形態におけるＲＬＣエンティティ１１、３６の機能と同様である。【００９３】
また、送信側装置１０は、送信バッファ１２の代わりに、ＭＡＣ多重部１２Ａを具備し、ＴＳＮ付与部１３の代わりに、ＭＡＣヘッダ付与部１３Ａを具備し、個別物理制御チャネル受信部１７の代わりに、共有物理制御チャネル受信部１７Ａを具備している。【００９４】
一方、受信側装置３０は、ＴＳＮ抽出部３４の代わりに、ヘッダ解析部３４Ａを具備し、順序制御バッファ３５の代わりに、多重分離部３５Ａを具備し、個別物理制御チャネル送信部３３の代わりに、共有物理制御チャネル送信部３３Ａを具備している。【００９５】
ＭＡＣ多重部１２Ａは、複数のＲＬＣエンティティ１１から送信されたユーザデータを多重して一時的に格納した後、ＭＡＣヘッダ付与部１３Ａに送信するように構成されている。【００９６】
ＭＡＣヘッダ付与部１３Ａは、ＭＡＣ多重部１２Ａから送信されたユーザデータに対して、ＭＡＣヘッダ及び誤り訂正符号（ＣＲＣ等）等を付与することによって、共有物理データチャネルに多重されるトランスポートチャネル上で送信されるプロトコルデータユニット（パケット）を生成するように構成されている。【００９７】
共有物理制御チャネル受信部１７Ａは、共有物理制御チャネル（ＨＡＲＱフィードバック物理チャネル）を介してＡＣＫ/ＮＡＣＫといった送達確認情報を受信して、該当するＨＡＲＱプロセス１５に通知するように構成されている。【００９８】
なお、共有物理制御チャネル受信部１７Ａは、所定期間内に、各パケットに対する送達確認情報を受信しない場合、ＤＴＸ状態であると判断するように構成されている。【００９９】
共有物理制御チャネル送信部３３Ａは、各ＨＡＲＱプロセス３２Ｂから通知された送達確認情報（ＡＣＫ/ＮＡＣＫ）を、共有物理制御チャネル（ＨＡＲＱフィードバック物理チャネル）を介して送信するように構成されている。【０１００】
ヘッダ解析部３４Ａは、各ＨＡＲＱプロセス３２Ｂから送信されたパケットのヘッダを解析し、複数のＲＬＣエンティティ３６のそれぞれに対して各パケットを送信するために、各パケットを多重分離部３５Ａに格納するように構成されている。【０１０１】
多重分離部３５Ａは、複数のＲＬＣエンティティ宛てのパケットを分離して、該当するＲＬＣエンティティ３６に対して送信するように構成されている。【０１０２】
また、本実施形態では、ＡＣＫ/ＮＡＣＫは、下り方向の共有物理制御チャネルに関連付けられている上り方向の共有物理制御チャネルを介して送信されるように構成されているが、個別物理制御チャネルを介して送信されるように構成されていてもよい。【０１０３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。【０１０４】
なお、日本国特許出願第２００７−０３１３８２号（２００７年２月９日出願）の全内容が、参照により、本願明細書に組み込まれている。
【産業上の利用可能性】
【０１０５】
以上のように、本発明に係る再送制御方法及び受信側装置は、送信側装置においてＨＡＲＱフィードバック物理チャネルを介して送信される送達確認情報を誤検出した場合に、パケットの欠落を最小限に留めることができる再送制御方法及び受信側装置を提供することができる。
【図１】
2008096877.tif 000003
【図２】
2008096877.tif 000004
【図３】
2008096877.tif 000005
【図４】
2008096877.tif 000006
【図５】
2008096877.tif 000007
【図６】
2008096877.tif 000008
【図７】
2008096877.tif 000009
【国際調査報告】
2008096877.tif 000010
2008096877.tif 000011
2008096877.tif 000012
2008096877.tif 000013